(57)【特許請求の範囲】
【請求項１】
剥離紙面に再剥離再貼着型の感圧性接着剤層と強粘着型の感圧性接着剤層とが積層されてなり、ロール状に成形された複合両面テープであって、
前記剥離紙面と前記再剥離再貼着型の感圧性接着剤層との粘着強度をａ、前記剥離紙面と前記強粘着型の感圧性接着剤層との粘着強度をｂ、前記再剥離再貼着型の感圧性接着剤層と前記強粘着型の感圧性接着剤層との粘着強度をｃとした場合、ｂ＜ａ＜ｃの関係を満たすことを特徴とする複合両面テープ。
【請求項２】
表裏面に剥離剤層を有してなる剥離紙の一面に再剥離再貼着型の感圧性接着剤を、かつ、他面に強粘着型の感圧性接着剤をそれぞれ塗布する工程と、当該感圧性接着剤を定着させて感圧性接着剤層が形成された前記剥離紙をロール状に巻き取る工程とを含んでなり、前記剥離紙面と前記再剥離再貼着型の感圧性接着剤層との粘着強度をａ、前記剥離紙面と前記強粘着型の感圧性接着剤層との粘着強度をｂ、前記再剥離再貼着型の感圧性接着剤層と前記強粘着型の感圧性接着剤層との粘着強度をｃとした場合、ｂ＜ａ＜ｃの関係を満たすことを特徴とする複合両面テープの作成方法。
【発明の詳細な説明】
【０００１】
【発明の属する技術分野】
本発明は、粘着性の異なる感圧性接着剤層を複合し、テープ被着体に再剥離再貼着させる機能を付与できる新規な両面テープおよびその作成方法に関する。
【０００２】
【従来の技術】
従来の両面テープは通常の糊や接着剤などと同様の機能が求められるもので、例えば、シート片にテープを貼着し、これを台紙などに貼り合わせたり、封筒の封緘片にテープを貼着し、封入物を封入した後に封緘片を接着させるなど、テープ被着体とさらに別の被着体との間あるいは被着体同士を完全接着させるために使用される。そして、その一般的な構成は、剥離紙面に強粘着型の感圧性接着剤層を施してなるものであった。
【０００３】
【発明が解決しようとする課題】
しかしながら、従来の両面テープでは成し得ないアプリケーションにてテープ被着体を利用できるようにしたい場合もある。とりわけ、テープ被着体を、さらに別の被着体との間あるいは被着体同士で再剥離再貼着できれば、例えば、任意の位置に貼り代えでき、かつ、位置ずれが生じないようにした貼着付箋や、葉書や封書などに記載された情報を一時的に隠蔽するため、情報記載部を覆うように仮着する隠蔽シール、あるいは、メッセージを記載して二つ折りした後、対向面を仮着して容易に他人に読まれないようにした伝言メモなどとしてテープ被着体を利用できる。そこで、本発明は、テープ被着体に容易に再剥離再貼着させる機能を付与できる新規な両面テープおよびその作成方法の提供を課題とする。
【０００４】
【課題を解決するための手段】
かかる課題を達成するため、本発明者は、再剥離再貼着型の感圧性接着剤層と強粘着型の感圧性接着剤層とを積層してなる両面テープを想到した。すなわち、本発明の複合両面テープは、剥離紙面に再剥離再貼着型の感圧性接着剤層と強粘着型の感圧性接着剤層とが積層されてなり、ロール状に成形された複合両面テープであって、前記剥離紙面と前記再剥離再貼着型の感圧性接着剤層との粘着強度をａ、前記剥離紙面と前記強粘着型の感圧性接着剤層との粘着強度をｂ、前記再剥離再貼着型の感圧性接着剤層と前記強粘着型の感圧性接着剤層との粘着強度をｃとした場合、ｂ＜ａ＜ｃの関係を満たすことを特徴とする。
【０００５】
また、本発明の両面テープの作成方法は、表裏面に剥離剤層を有してなる剥離紙の一面に再剥離再貼着型の感圧性接着剤を、かつ、他面に強粘着型の感圧性接着剤をそれぞれ塗布する工程と、当該感圧性接着剤を定着させて感圧性接着剤層が形成された前記剥離紙をロール状に巻き取る工程とを含んでなり、前記剥離紙面と前記再剥離再貼着型の感圧性接着剤層との粘着強度をａ、前記剥離紙面と前記強粘着型の感圧性接着剤層との粘着強度をｂ、前記再剥離再貼着型の感圧性接着剤層と前記強粘着型の感圧性接着剤層との粘着強度をｃとした場合、ｂ＜ａ＜ｃの関係を満たすことを特徴とする。
【０００６】
したがって、請求項１記載の複合両面テープによれば、テープを所望の長さに切断し、所定のテープ被着体に、その強粘着性の感圧性接着剤層をもって貼着した後、再剥離再貼着型の感圧性接着剤層をもって、さらに別の被着体との間あるいは被着体同士を再剥離再貼着できる。
【０００７】
また、請求項２記載の複合両面テープの作成方法によれば、再剥離再貼着型の感圧性接着剤と強粘着型の感圧性接着剤を、表裏面に剥離剤層を有してなる剥離紙の当該表裏面のそれぞれに塗布、定着させることで、各々の感圧性接着剤層をほぼ同時に形成でき、さらに、感圧性接着剤層が形成された剥離紙をロール状に巻き取ることで、ロール内では再剥離再貼着型の感圧性接着剤層と強粘着型の感圧性接着剤層が強接着すると共に、粘着強度の調整により、再剥離再貼着型の感圧性接着剤層と剥離紙、あるいは強粘着型の感圧性接着剤層と剥離紙とが仮着することで、本発明の複合両面テープを少ない工程で効率的に作成できる。
【０００８】
【発明の実施形態】
以下、本発明の複合両面テープおよびその作成方法について添付の図面に基づき、さらに詳述する。なお、ここにおいて、図１は本発明の複合両面テープの断面説明図、図２はロール状に成形された本発明の複合両面テープの断面説明図、図３は本発明の複合両面テープの使用状態説明図、また、図４は本発明の複合両面テープの作成方法の概略的フロー図である。
【０００９】
図１に示すように、本発明の複合両面テープ１は、剥離紙２の表面に再剥離再貼着型の感圧性接着剤層３と強粘着型の感圧性接着剤層４とが順次積層されてなる。それぞれの感圧性接着剤層３，４を構成する再剥離再貼着型や強粘着型の感圧接着剤の種類は従来公知のもので良く、特に限定はない。例えば、再剥離再貼着型のものは従来の貼着付箋や隠蔽シールなどで使用されるもので良く、一方、強粘着型のものは従来の両面テープで使用されているもので良い。
【００１０】
また、剥離紙２も従来公知のもので良く、一般的なものは剥離剤層が一方の面にあるが、本実施例では、再剥離再貼着型の感圧性接着剤層３を剥離紙２の剥離剤層面でなく基材面に設け、図２に示すように、複合両面テープ１をロール状に成形した際、剥離剤層を強粘着型の感圧性接着剤層４に対接するように構成している。ただし、作成方法を鑑み、最も好ましくは、剥離紙２を剥離剤層が両面にあるタイプのものを使用するのが良い。
【００１１】
なお、本実施例のものは剥離紙２の表面に再剥離再貼着型の感圧性接着剤層３を設け、次に、強粘着型の感圧性接着剤層４を設けた構成であるが、本発明はこれに限定されず、剥離紙２の剥離剤層面に強粘着型の感圧性接着剤層４を設け、次に、再剥離再貼着型の感圧性接着剤層４を設けた構成であっても構わない。ただし、後者の構成であると、一旦、何らかの被着体に再剥離再貼着型の感圧性接着剤層をもって複合両面テープを仮着し、表出している強粘着型の感圧性接着剤層をもってテープ被着体に間接的に再度貼着することになり、テープ被着体に複合両面テープを直接的に貼着し、さらに、テープ被着体をさらに別の被着体との間あるいは被着体同士を再剥離再貼着するまで、剥離紙が再剥離再貼着型の感圧接着剤層を保護している本実施例の構成の方が実用上好適であると言える。
【００１２】
本発明の複合両面テープの使用は、図３に示すように、例えば、テープ被着体５を貼着付箋として利用したい場合には、（イ）ロール状に成形された複合両面テープ（図示せず）からテープを所望の長さに切断し、（ロ）強粘着性の感圧性接着剤層４をもって付箋紙片たるテープ被着体５に貼着した後、（ハ）剥離紙２を剥離し、（ニ）表出した再剥離再貼着型の感圧性接着剤層３をもって、机などの別の被着体６との間で剥離可能に貼着される。このように、テープ被着体５には再剥離再貼着型の感圧性接着剤層３によって、何度でも別の被着体との間に剥離・貼着を繰り返すことができる機能が付与される。
【００１３】
各々の感圧性接着剤層３，４の形成方法については、例えば、専用塗布機や印刷機などをもって剥離紙２の表面に一方の感圧性接着剤を塗布し、その感圧性接着剤の種類に応じ、温風乾燥、赤外線照射、紫外線照射などにより定着させて感圧性接着剤層を形成し、この感圧性接着剤層上に、次の感圧性接着剤層を同様な方法にて順次形成して行く方法でも良いが、後述する請求項２記載の作成方法が最も好適である。
【００１４】
本発明の複合両面テープの最も好適な作成方法について、図４に示した実施例に基づき説明する。先ず、表裏面に剥離剤層を有してなる剥離紙２のロールの繰出装置ＵＷから繰り出された剥離紙２のウエヴの一面に再剥離再貼着型の感圧性接着剤３′を、他面に強粘着型の感圧性接着剤４′をそれぞれ塗布する。なお、本実施例においては、剥離紙２の表裏面へ同時に感圧性接着剤を塗布できるタイプの塗布機Ｃを用いているが、片面に塗布するタイプの塗布機を二台並設させても良い。次に、温風加熱タイプの乾燥機Ｄをもってそれぞれの感圧性接着剤３′，４′を同時に固化定着させ、再剥離再貼着型の感圧性接着剤層３および強粘着型の感圧性接着剤層４を形成する。そして、巻取装置ＲＷにて当該感圧性接着剤層３，４が形成された剥離紙２をロール状に巻き取るものである。また、必要に応じ、剥離紙２のウエヴを単位幅に切断したり、単位長さに区画分離するための切断装置やミシン線加工機Ｍなどを併設しても良い。
【００１５】
なお、剥離紙面と感圧性接着剤層および感圧性接着層間の粘着強度に関し、ロール状に成形された複合両面テープにおいて、剥離紙面と再剥離再貼着型の感圧性接着剤層との粘着強度をａとし、剥離紙面と強粘着型の感圧性接着剤層との粘着強度をｂとし、また、再剥離再貼着型の感圧性接着剤層と強粘着型の感圧性接着剤層との粘着強度をｃすれば、ａ，ｂ，ｃの関係はａ＜ｂ＜ｃもしくはｂ＜ａ＜ｃに調整するものであるが、実用上好ましい構成の複合両面テープを作成するためには、ｂ＜ａ＜ｃとするのが好ましい。これは、前述したように、ロール状に成形された複合両面テープを繰り出した際に、強粘着型の感圧性接着剤層が表出し、再剥離再貼着型の感圧性接着剤層が剥離紙によって保護されている状態となり、テープ被着体に複合両面テープを強粘着型の感圧性接着剤層をもって貼着した後に、直ちに別の被着体との間あるいは被着体同士を貼着しない場合、再剥離再貼着型の感圧性接着剤層が表出せずに好都合であるからである。
【００１６】
【発明の効果】
以上説明したように、本発明の複合両面テープによれば、テープを所望の長さに切断し、所定のテープ被着体に、その強粘着性の感圧性接着剤層をもって貼着した後、再剥離再貼着型の感圧性接着剤層をもって、さらに別の被着体との間あるいは被着体同士を再剥離再貼着でき、テープ被着体を貼着付箋、隠蔽シールあるいは伝言メモのように、従来の両面テープでは成し得ないアプリケーションで利用できる。また、本発明の複合両面テープの作成方法によれば、各々の感圧性接着剤層をほぼ同時に形成でき、さらに、感圧性接着剤層が形成された剥離紙をロール状に巻き取り、感圧性接着剤層間の粘着強度を調整することで、本発明の複合両面テープを少ない工程で効率的に作成できるなどの効果を奏する。
【図面の簡単な説明】
【図１】本発明の複合両面テープの断面説明図。
【図２】ロール状に成形された本発明の複合両面テープの断面説明図。
【図３】本発明の複合両面テープの使用状態説明図。
【図４】本発明の複合両面テープの作成方法の概略的フロー図。
【符号の説明】
１  複合両面テープ
２  剥離紙
３  再剥離再貼着型の感圧性接着剤層
４  強粘着型の感圧性接着剤層
５  テープ被着体
６  別の被着体
３′  再剥離再貼着型の感圧性接着剤
４′  強粘着型の感圧性接着剤
ＵＷ  繰出装置
Ｃ    塗布機
Ｄ    乾燥機
ＲＷ  巻取装置
【図１】
0004209001.tif 000002
【図２】
0004209001.tif 000003
【図３】
0004209001.tif 000004
【図４】
0004209001.tif 000005